(57)【特許請求の範囲】
【請求項１】
窓枠の内側開口を開閉する障子の両側上下部を上部支持具と下部支持具によって平行移動可能に支持し、前記窓枠のたて枠の内面側に設けられたスライドプレートを昇降可能に支持し、そのスライドプレートの昇降動によって障子を平行に開閉させるようにした平行突き出し窓において、前記上部支持具がたて枠に取付けられる枠側ブラケットと、障子の外側面に取付けられる障子側ブラケットと、長さ方向の中央部が連結された一対のアームを有し、一方のアームの一端部が枠側ブラケットの上部に形成された縦長孔に沿って移動自在に連結され、他端部が障子側ブラケットの下端部に連結され、他方のアームの一端部が枠側ブラケットの上部に形成された縦長孔に沿って移動自在に連結され、他端部が枠側ブラケットの下端部に連結されたＸ字アームとから成り、前記障子側ブラケットには前記スライドプレートに設けられた突出部がスライド自在に嵌合するガイド溝を設け、そのガイド溝にほぼ垂直のロック溝部と、その下端に連続して屋内側に向けて傾斜する傾斜溝部とを形成し、前記下部支持具が上部支持具の障子側ブラケットと同一の部品とされ、その下部支持具のガイド溝に挿入される突出部を前記スライドプレートに設けたことを特徴とする平行突き出し窓。
【発明の詳細な説明】
【０００１】
【発明の属する技術分野】
この発明は、窓枠の開口を平行移動可能に支持された障子によって開閉させるようにした平行突き出し窓に関するものである。
【０００２】
【従来の技術】
窓枠の開口を開閉する障子の両側部を支持具により支持し、窓枠のたて枠内面側に設けられたスライドプレートを昇降可能に支持し、そのスライドプレートを窓枠におけるたて枠の屋内側面に取付けられたハンドル操作機構のハンドル操作により昇降させて障子を開閉させるようにした平行突き出し窓は従来から知られている。
【０００３】
【発明が解決しようとする課題】
ところで、従来から知られている平行突き出し窓においては、障子の両側上下部に合計４つの支持具を取付けて障子を平行移動可能に支持し、かつその支持具とは別にロック機構を設けて障子を閉鎖状態に保持する構成であるため、部品点数がきわめて多く、平行突き出し窓の組立てに手間がかかり、また、コストも高いという不都合があった。
【０００４】
この発明の課題は、部品点数の少ない組立ての容易なコストの安い平行突き出し窓を提供することである。
【０００５】
【課題を解決するための手段】
上記の課題を解決するために、この発明においては、窓枠の内側開口を開閉する障子の両側上下部を上部支持具と下部支持具によって平行移動可能に支持し、前記窓枠のたて枠の内面側に設けられたスライドプレートを昇降可能に支持し、そのスライドプレートの昇降動によって障子を平行に開閉させるようにした平行突き出し窓において、前記上部支持具がたて枠に取付けられる枠側ブラケットと、障子の外側面に取付けられる障子側ブラケットと、長さ方向の中央部が連結された一対のアームを有し、一方のアームの一端部が枠側ブラケットの上部に形成された縦長孔に沿って移動自在に連結され、他端部が障子側ブラケットの下端部に連結され、他方のアームの一端部が障子側ブラケットの上部に形成された縦長孔に沿って移動自在に連結され、他端部が枠側ブラケットの下端部に連結されたＸ字アームとから成り、前記障子側ブラケットには前記スライドプレートに設けられた突出部がスライド自在に嵌合するガイド溝を設け、そのガイド溝にほぼ垂直のロック溝部と、その下端に連続して屋内側に向けて傾斜する傾斜溝部とを形成し、前記下部支持具が上部支持具の障子側ブラケットと同一の部品とされ、その下部支持具のガイド溝に挿入される突出部を前記スライドプレートに設けた構成を採用したのである。
【０００６】
上記のように、障子の両側上部を開閉可能なＸ字アームを有する上部支持具で支持することにより、その上部支持具のみで障子を平行移動可能に支持することができる。このため、下部支持具としては、障子の開閉を阻害することがなく、障子の下部のがたつきを防止することができるものであればよく、上部支持具の障子側ブラケットを採用することができる。
【０００７】
また、上部支持具に設けられた障子側ブラケットにガイド溝を設け、そのガイド溝にほぼ垂直のロック溝部と、その下端に連続して屋内側に傾斜する傾斜溝部とを設けたことにより、ロック溝部に対する突出部の係合によって障子を閉鎖状態にロックすることができる。
【０００８】
このように、上部支持具の障子側ブラケットを下部支持具に採用することができ、また、障子を閉鎖状態に保持するロック機構を別に設ける必要がないので、部品点数を大幅に減らすことができ、組立ての容易なコストの安い平行突き出し窓を得ることができる。
【０００９】
ここで、ガイド溝に沿って移動する突出部として回転可能なガイドローラを用いると、突出部の移動時における抵抗が小さく、障子を円滑に開閉させることができる。
【００１０】
【発明の実施の形態】
以下、この発明の実施の形態を図面に基づいて説明する。図１に示すように、窓枠１の内側開口２には、その開口２を開閉する障子３が設けられている。
【００１１】
図８に示すように、窓枠１のたて枠１ａ内面には上下方向に長く延びるガイド溝４が形成され、そのガイド溝４内にスライドプレート５に設けられたスライドガイド６がスライド自在に嵌合されている。
【００１２】
図１に示すように、スライドプレート５は上下方向に長く延び、前記たて枠１ａの屋内側面の下部に設けられたハンドル操作装置１０によりガイド溝４に沿って移動される。
【００１３】
図３に示すように、ハンドル操作装置１０は、たて枠１ａの屋内側面の下部に設けられたギヤケース１１を有し、そのギヤケース１１にハンドル１２を回転自在に設け、ギヤケース１１内には上記ハンドル１２の操作によって回転されるギヤ１３を設けている。また、窓枠１の下枠１ｂ上に両端が左右のたて枠１ａ内面に対向する連動軸１４を設けて回転自在に支持し、その連動軸１４の両端部にレバー１５を取付け、一方のレバー１５の先端部と前記ギヤ１３の外周部とに第１リンク１６の両端部を連結して、ギヤ１３の回転を連動軸１４に伝えるようにしている。
【００１４】
さらに、連動軸１４の両端部に取付けられた前記各レバー１５の先端部に第２リンク１７の一端部を連結し、各第２リンク１７の他端部に連結されたブラケット１８をスライドプレート５に取付けて、連動軸１４の回転によりスライドプレート５を移動させるようにしている。
【００１５】
図１および図２に示すように、障子２の両側上部には上部支持具３０が設けられ、一方、障子３の両側下部には下部支持具４０が設けられている。
【００１６】
上部支持具３０は、窓枠１のたて枠１ａ内面に取付けられる枠側ブラケット３１と、障子３の外側面に取付けられる障子側ブラケット３２と、その両ブラケット３１、３２を連結するＸ字アーム３３とから成る。
【００１７】
Ｘ字アーム３３は、図６（Ｉ）、（II）に示すように、第１アーム３３ａと第２アーム３３ｂの交差部をピン３３ｃによって開閉自在に連結しており、第１アーム３３ａの一端部はピン３３ｄを介して枠側ブラケット３１の上端部に形成された縦長孔３４に沿ってスライド自在に連結され、他端部はピン３３ｅを介して障子側ブラケット３２の下端部に連結されている。一方、第２アーム３３ｂの一端部はピン３３ｆを介して障子側ブラケット３２の上端部に形成された縦長孔３５に沿ってスライド自在に連結され、他端部はピン３３ｇを介して枠側ブラケット３１の下端部に連結されている。
【００１８】
上記上部支持具３０とスライドプレート５の間には、スライドプレート５の直線運動をＸ字アーム３３の開閉運動に変換する変換機構５０が設けられている。
【００１９】
変換機構５０は、障子側ブラケット３２の下端部にローラガイド５１を取付け、そのローラガイド５１に設けられたガイド溝５２にほぼ垂直のロック溝部５２ａと、その下端に連続して屋内側に向けて傾斜する傾斜溝部５２ｂとを形成し、一方、スライドプレート５には突出部５３を設け、この突出部５３をガイド溝５２内にスライド自在に挿入している。
【００２０】
上記の構成から成る変換機構５０は、障子３を閉鎖させた状態において、突出部５３がロック溝部５２ａ内に嵌合し、そのロック溝部５２ａに対する突出部５３の係合によって障子３を閉鎖状態にロックするようになっている。
【００２１】
ここで、突出部３５はピンから成るものであってもよく、あるいは、回転可能に支持されたガイドローラから成るものであってもよい。実施の形態ではガイドローラを用いるようにしており、そのガイドローラを採用することによって突出部５３の移動抵抗が小さく、突出部５３をガイド溝５２に沿って円滑に移動させることができる。
【００２２】
図５に示すように、下部支持具４０は、上部支持具３０を形成する障子側ブラケット３２と同一の部品とされ、その下部支持具４０のガイド溝５２に挿入される突出部５４がスライドプレート５に取付けられている。
【００２３】
実施の形態で示す平行突き出し窓は上記の構造から成り、図１および図３は障子３を閉鎖状態にした状態を示す。その閉鎖状態において、スライドプレート５の上下部に設けられた突出部５３、５４は上部支持具３０のガイド溝５２に形成されたロック溝部５２ａおよび下部支持具４０のガイド溝５２に形成されたロック溝部５２ａに嵌合し、各ロック溝部５２ａと各突出部５３、５４の係合によって障子３はロックされ、屋外側からいたずらに開放されるのが防止されている。
【００２４】
上記のような障子３の閉鎖状態において、図３に示すハンドル操作装置１０のハンドル１２を操作してギヤケース１１内のギヤ１３を同図の矢印方向に回転させると、その回転運動は変換機構５０を介してスライドプレート５の直線運動に変換され、スライドプレート５が下降する。
【００２５】
上記スライドプレート５の下降により、突出部５３、５４はロック溝部５２ａに沿って下降し、そのロック溝部５２ａの下端に連続する傾斜溝部５２ｂに沿って移動し始めると、その傾斜溝部５２ｂの底面が突出部５３、５４により押圧されるため、障子３に屋外方向への押圧力が付与され、障子３が外方向に向けて移動する。
【００２６】
このとき、上部支持具３０の第１アーム３３ａと第２アーム３３ｂが開放すると共に、各アーム３３ａ、３３ｂの一端部は枠側ブラケット３１および障子側ブラケット３２の縦長孔３４、３５に沿って下降するため、障子３は屋外側に向けて平行移動する。
【００２７】
図２および図５は、障子３を全開した状態を示し、突出部５３、５４は傾斜溝部５２ｂに嵌合する状態に保持されている。
【００２８】
図２および図５に示す障子３の開放状態からハンドル１２を回転操作して、ギヤ１３を図５の矢印方向に回転させると、スライドプレート５が上昇し、そのスライドプレート５に設けられた突出部５３、５４が上部支持具３０および下部支持具４０のローラガイド５１に形成されたガイド溝５２の傾斜溝部５２ｂの上面を押圧しつつ上方向に直線的に移動し、その移動によって障子３が屋内側に向けて平行移動する。
【００２９】
上記突出部５３、５４が傾斜溝部５２ｂの上端に連続するロック溝部５２ａに嵌合すると、障子３は図１に示すように全閉状態にされると共に、ロック溝部５２ａと突出部５３、５４の係合によって障子３は全閉状態でロックされる。
【００３０】
実施の形態で示すように、障子３の上部を枠側ブラケット３１と障子側ブラケット３２をＸ字アーム３３で連結した上部支持具３０によって支持することにより、その上部支持具３０のみで障子３を平行移動可能に支持することができる。
【００３１】
このため、下部支持具４０としては、障子３の平行移動を阻害することがなく、また障子３の下部のがたつきを防止することができる簡単な構成のもの、すなわち、上部支持具３０の障子ブラケット３２と同一構成のものを採用することができる。
【００３２】
また、上部支持具３０の障子側ブラケット３２と下部支持具４０とにガイド溝５２を設け、そのガイド溝５２に形成された傾斜溝部５２ｂの上端に連続してほぼ垂直のロック溝部５２ａを設けたことにより、そのロック溝部５２ａと突出部５３、５４の係合によって障子３を閉鎖状態にロックすることができる。このため、ロック機構を別に設ける必要がない。
【００３３】
このように、下部支持具４０は上部支持具３０の障子側ブラケット３２と同一部品とすることができると共に、ロック機構を別に設ける必要がないため、従来の平行突き出し窓に比較して部品点数がきわめて少なくなり、組立ての容易なコストの安い平行突き出し窓を提供することができる。
【００３４】
【発明の効果】
以上のように、この発明においては、上部支持具によって障子を平行移動可能に支持することができるため、下部支持具として上部支持具の障子側ブラケットを採用することができると共に、各支持具は障子を支持する機能の他に、スライドプレートに設けられた突出部との間で障子を閉鎖状態にロックするロック機能を有するため、ロック機構を別に組込む必要がない。このため、部品点数を大幅に減らすことができ、組立ての容易なコストの安い平行突き出し窓を提供することができる。
【図面の簡単な説明】
【図１】この発明に係る平行突き出し窓の実施の形態を示す縦断正面図
【図２】障子の開放状態を示す縦断正面図
【図３】図１の下部を拡大して示す縦断正面図
【図４】図３のIV−IV線に沿った断面図
【図５】図２の下部を拡大して示す縦断正面図
【図６】（Ｉ）は図１の上部支持具を拡大して示す縦断正面図、（II）は上部支持具の開放状態を示す縦断正面図
【図７】図６（Ｉ）のVII −VII 線に沿った断面図
【図８】図６（II）のVIII−VIII線に沿った断面図
【符号の説明】
１  窓枠
１ａ  たて枠
１ｂ  下枠
３  障子
４  ガイド溝
５  スライドプレート
３０  上部支持具
３１  枠側ブラケット
３２  障子側ブラケット
３３  Ｘ字アーム
３３ａ  第１アーム
３３ｂ  第２アーム
３３、３４  縦長孔
４０  下部支持具
５２ａ  ロック溝部
５２ｂ  傾斜溝部
５３、５４  突出部
【図１】
0003784647.tif 000002
【図２】
0003784647.tif 000003
【図３】
0003784647.tif 000004
【図４】
0003784647.tif 000005
【図５】
0003784647.tif 000006
【図６】
0003784647.tif 000007
【図７】
0003784647.tif 000008
【図８】
0003784647.tif 000009